(57)【要約】【課題】コンパクトな設備であり、且つ各種病原菌を確実に殺菌した後でなければ退室することができない自動ドア連動型乾燥殺菌装置を提供すること。【解決手段】手を洗浄する手洗手段１０と、手挿入部３７に挿入した手を乾燥し且つ紫外線によって殺菌する乾燥殺菌手段３０と、自動ドア７０と、乾燥殺菌手段３０の手挿入部３７に手が挿入された際にこれを検知して乾燥殺菌手段３０の運転を開始するとともにこの乾燥殺菌手段３０において殺菌が開始されてから所定時間が経過した際に自動ドア７０の開を許可する制御手段５０とを有する。【選択図】図１
2006198318.tif 000002
【特許請求の範囲】
【請求項１】
手を洗浄する手洗手段と、
手挿入部に挿入した手を乾燥し且つ紫外線によって殺菌する乾燥殺菌手段と、
自動ドアと、
前記乾燥殺菌手段の手挿入部に手が挿入された際にこれを検知して乾燥殺菌手段の運転を開始するとともに、この乾燥殺菌手段において殺菌が開始されてから所定時間が経過した際に前記自動ドアの開を許可する制御手段と、
を有することを特徴とする自動ドア連動型乾燥殺菌装置。
【請求項２】
前記制御手段は、前記自動ドアの開を許可している時間を限定していることを特徴とする請求項１に記載の自動ドア連動型乾燥殺菌装置。
【請求項３】
前記乾燥殺菌手段は、
手が手挿入部の所定位置に挿入されたことを手と非接触の状態で検出する検出部と、
手挿入部に挿入された手に加熱空気を供給して乾燥する乾燥機構と、
手挿入部に挿入された手に紫外線を照射して殺菌する紫外線殺菌手段と、を具備することを特徴とする請求項１又は２に記載の自動ドア連動型乾燥殺菌装置。
【請求項４】
前記乾燥殺菌手段は、紫外線殺菌手段による紫外線の照射が開始してから所定時間が経過する毎に所定時間が経過したことを表示していく殺菌時間表示部を具備するとともに、前記制御手段は紫外線の照射時間が予め定めた最長殺菌時間に達すると前記紫外線の照射を停止することを特徴とする請求項１又は２又は３に記載の自動ドア連動型乾燥殺菌装置。
【発明の詳細な説明】
【技術分野】
【０００１】
本発明は、自動ドア連動型乾燥殺菌装置に関するものである。
【背景技術】
【０００２】
従来、例えば病院の汚物処理室や集中治療室や病室、病院や老人福祉施設や公共設備等のトイレ、レストランの厨房、食品加工工場等の各種工場の各室等に出入りする際、手を清浄にしなければならない場合があり、特に近年黄色ブドウ球菌、サルモネラ菌、病原性大腸菌Ｏ−１５７、ノロウイルス等による食中毒，院内感染等の人的被害を避けるため、前記各種病原菌を確実に殺菌することが求められている。
【０００３】
このため従来、手の洗浄が必要な場所には、手洗器や消毒器などが設置され、手の殺菌・洗浄を行うようにしていた。しかしながら従来の消毒器は例えば手に消毒用アルコールを供給することによる消毒であるため、ノロウイルスのような病原菌に対しては殺菌効果が薄くて必ずしも完全な殺菌が行えなかった。
【０００４】
一方手洗器や消毒器によって手を清浄にしてその室から出る際、洗浄した手を再び汚染しないようにするため、又は身障者等の使い勝手を良好にするため、室の出入り口を自動ドアとすることが行われており、さらには手洗などをしないでその室から退出することを防止してその衛生管理を確実とするため、手洗器や消毒器と自動ドアとを連動させ、手洗器や消毒器を使用した後でなければ自動ドアが開かないようにすることが行われている（例えば特許文献１参照）。しかしながらこの種の装置の場合、手洗器や消毒器の何れかが使用されたことは確認できるが、必ずしも手洗器や消毒器によって手が確実に殺菌されたか否かは確認できず、不完全な殺菌状態で室を退室する恐れがあった。
【特許文献１】特開２００２−３０６３７７号公報
【発明の開示】
【発明が解決しようとする課題】
【０００５】
本発明は上述の点に鑑みてなされたものでありその目的は、コンパクトな設備であり、且つ各種病原菌を確実に殺菌した後でなければ退室することができない自動ドア連動型乾燥殺菌装置を提供することにある。
【課題を解決するための手段】
【０００６】
本願請求項１に記載の発明は、手を洗浄する手洗手段と、手挿入部に挿入した手を乾燥し且つ紫外線によって殺菌する乾燥殺菌手段と、自動ドアと、前記乾燥殺菌手段の手挿入部に手が挿入された際にこれを検知して乾燥殺菌手段の運転を開始するとともに、この乾燥殺菌手段において殺菌が開始されてから所定時間が経過した際に前記自動ドアの開を許可する制御手段と、を有することを特徴とする自動ドア連動型乾燥殺菌装置にある。
【０００７】
本願請求項２に記載の発明は、前記制御手段は、前記自動ドアの開を許可している時間を限定していることを特徴とする請求項１に記載の自動ドア連動型乾燥殺菌装置にある。
【０００８】
本願請求項３に記載の発明は、前記乾燥殺菌手段は、手が手挿入部の所定位置に挿入されたことを手と非接触の状態で検出する検出部と、手挿入部に挿入された手に加熱空気を供給して乾燥する乾燥機構と、手挿入部に挿入された手に紫外線を照射して殺菌する紫外線殺菌手段と、を具備することを特徴とする請求項１又は２に記載の自動ドア連動型乾燥殺菌装置にある。
【０００９】
本願請求項４に記載の発明は、前記乾燥殺菌手段は、紫外線殺菌手段による紫外線の照射が開始してから所定時間が経過する毎に所定時間が経過したことを表示していく殺菌時間表示部を具備するとともに、前記制御手段は紫外線の照射時間が予め定めた最長殺菌時間に達すると前記紫外線の照射を停止することを特徴とする請求項１又は２又は３に記載の自動ドア連動型乾燥殺菌装置にある。
【発明の効果】
【００１０】
請求項１に記載の発明によれば、殺菌手段として紫外線による殺菌手段を用いたので、消毒用アルコールなどの他の手段による殺菌手段よりも確実な殺菌が図れ、同時に紫外線による殺菌なので乾燥機構との一体化が容易に行えてコンパクトな乾燥殺菌手段を構成でき、これによって自動ドア連動型乾燥殺菌装置全体の設置スペースの小型化が図れる。
【００１１】
また乾燥殺菌手段において殺菌が開始されてから所定時間が経過した際に前記自動ドアの開を許可するように構成したので、殺菌が確実に完了する所定時間以上殺菌を続けない限り自動ドアが開かず、従って確実に殺菌した人のみが退出でき、その室の衛生管理が確実になる。
【００１２】
請求項２に記載の発明によれば、自動ドアの開を許可している時間を限定しているので、一旦完全に手を殺菌した人が再び室内の各部に触ることで再汚染された後に退室することも確実に防止できる。
【００１３】
請求項３に記載の発明によれば、手挿入部に挿入された手を非接触の状態で確実に乾燥・殺菌できる。
【００１４】
請求項４に記載の発明によれば、殺菌時間表示部によって紫外線の照射を開始してから完全に殺菌が完了するまでの時間の目安を手を殺菌している人に知らせることができる。また最長殺菌時間を設定することによって必要以上に殺菌が行われることを防止できる。
【発明を実施するための最良の形態】
【００１５】
以下、本発明の実施形態を図面を参照して詳細に説明する。
図１は本発明の一実施形態にかかる自動ドア連動型乾燥殺菌装置１の全体概略構成図である。同図に示すようにこの自動ドア連動型乾燥殺菌装置１は、非接触で手を洗浄する手洗手段（以下この実施形態では「自動手洗器」という）１０と、手挿入部３７に挿入した手を非接触で乾燥し且つ殺菌する乾燥殺菌手段（以下この実施形態では「乾燥殺菌装置」という）３０と、乾燥殺菌装置３０を駆動制御する制御手段５０と、自動ドア７０とを具備して構成されている。なお自動ドア７０にはこれを駆動制御する自動ドア制御手段８０が設置されている。以下各構成部分について説明する。
【００１６】
自動手洗手段１０は洗面容器１１上に、図示しないセンサによって手が接近したことを検知して自動的に洗浄水の給水を行う水道の蛇口１３と、図示しないセンサによって手が接近したことを検知して自動的に消毒液や石鹸液等の洗浄液を給液する洗浄液供給管１５とを設置して構成されている。即ち自動手洗手段１０は、手が所定位置（洗面容器１１の上部）に位置していることを手に非接触の状態で検出して手に洗浄水や洗浄液を供給する手洗手段である。
【００１７】
図２は乾燥殺菌装置３０の概略側面図である。図１，図２に示すように乾燥殺菌装置３０は、箱型に形成された装置本体部３１と、装置本体部３１の奥側の下端辺３３から下方向に向けて伸びてその下部を手前側に略直角に屈曲して全体として平板をＬ字状に折り曲げた形状の手挿入部形成用部材３５とを具備し、装置本体部３１とＬ字状の手挿入部形成用部材３５の手前側に形成される空間を手挿入部３７としている。装置本体部３１の下面には手挿入部３７に向かって温風（加熱空気）を噴き出す乾燥機構３８（図３参照）の送風口３９が設けられ、また装置本体部３１の下面近傍（手挿入部３７の上部）には紫外線殺菌手段（以下この実施形態では「殺菌灯」という）４１が設置されている。また手挿入部３７の周辺には、手が手挿入部３７内の所定位置に挿入されたことを手と非接触の状態で検出する検出部４３（図３参照）が設置されている。一方装置本体部３１の表側の面には、殺菌時間表示部４５が取り付けられている。殺菌時間表示部４５は、複数（この実施形態では三つ）の点灯ランプ（ＬＥＤランプ）４５−１〜３を一列に並べて構成されている。
【００１８】
図３は制御手段５０及び自動ドア制御手段８０の概略制御ブロック図である。同図に示すように制御手段５０は、手挿入部３７に手が挿入されたことを検出する検出部４３からの検出信号を入力すると共に、前記殺菌灯４１と、乾燥機構３８を構成するファン３８１とヒータ３８３（何れも装置本体部３１に内蔵されている）と、殺菌時間表示部４５とにそれぞれ駆動信号を出力するように構成されている。また制御手段５０からは自動ドア制御手段８０に自動ドア７０の開を許可する自動ドア開許可信号が出力される。
【００１９】
一方自動ドア制御手段８０は、自動ドア７０の前に人が位置したときにこれを検知するセンサやスイッチ等からなるドア開指示器８１からの信号を入力すると共に、自動ドア７０を駆動する自動ドア駆動装置８３にその駆動・停止信号を出力するように構成されている。
【００２０】
ここでまず自動ドア連動型乾燥殺菌装置１の動作の概略を説明すると、図１に示す乾燥殺菌装置３０の手挿入部３７に手が挿入されると乾燥殺菌装置３０の運転が開始されて手の乾燥殺菌が開始される。乾燥殺菌時間は点灯ランプ４５−１〜３に表示され、７秒経過する毎に点灯ランプ４５−１〜３が１つずつ点灯していく。そして乾燥殺菌装置３０による乾燥殺菌を開始してから２１秒（最長殺菌時間）が経過したら、乾燥殺菌装置３０の動作が自動的に停止し、その後所定時間（この実施形態では２秒間）の間だけ自動ドア７０を開くことができる。なお乾燥殺菌装置３０による紫外線の照射時間が１４秒を過ぎるとその後手を手挿入部３７から引き抜いて乾燥殺菌装置３０を停止しても、自動ドア７０は所定時間開く。言い換えれば紫外線の照射時間が１４秒に満たない場合は手を手挿入部３７から引き抜いて乾燥殺菌装置３０を停止すると、自動ドア７０は開かない。これは以下の理由による。即ち紫外線による殺菌はアルコールによる殺菌に比べて効果的であり、例えば大腸菌（Ｏ１５７：Ｈ７）、サルモネラ菌、黄色ブドウ球菌、ノロウイルスなどは、５秒間の紫外線（特に短波紫外線）照射によってほとんど死滅し、１０秒間の紫外線照射によって１００％死滅することが実験によって確かめられている。そこでこの発明においては、１０秒を越える１４秒間以上紫外線を手に照射して手の殺菌を完全に行った後でなければ、例え自動ドア７０のドア開指示器８１から開を指示する信号が自動ドア制御手段８０に入力されても、自動ドア７０は開かないように構成したのである。以下その動作を具体的に説明する。
【００２１】
図４は自動ドア連動型乾燥殺菌装置１の動作フロー図である。同図に示すようにまず乾燥殺菌装置３０の手挿入部３７に手が挿入されると（ステップ１）、これを検出部４３が検出し、制御手段５０はファン３８１とヒータ３８３を駆動することでその送風口３９から加熱空気を噴き出してこれを手に吹きかけて乾燥すると同時に、殺菌灯４１を点灯駆動して手の紫外線による殺菌を開始する（ステップ２）。そして殺菌灯４１の点灯と同時に殺菌時間表示部４５中の一つ目の点灯ランプ４５−１を点灯する（ステップ３）。
【００２２】
次に手が挿入されている状態が７秒間続いたら、二つ目の点灯ランプ４５−２を点灯する（ステップ４，５）。このとき一つ目の点灯ランプ４５−１は点灯のままでも良いし消灯しても良い。一方この間に手が手挿入部３７から引き抜かれたら、乾燥殺菌装置３０の駆動を停止し（即ち乾燥機構３８の駆動の停止と殺菌灯４１の消灯）、同時に点灯ランプ４５−１を消灯し（ステップ６，１０）、ステップ１に戻る。
【００２３】
ステップ５において手が挿入されている状態が点灯ランプ４５−２の点灯からさらに７秒間続いたら、三つ目の点灯ランプ４５−３を点灯する（ステップ７，８）。このとき一つ目，二つ目の点灯ランプ４５−１，２は点灯のままでも良いし消灯しても良い。一方この間に手が手挿入部３７から引き抜かれたら、乾燥殺菌装置３０の駆動を停止し（即ち乾燥機構３８の駆動の停止と殺菌灯４１の消灯）、同時に点灯ランプ４５−１，２を消灯し（ステップ９，１０）、ステップ１に戻る。
【００２４】
ステップ８においてステップ８から点灯ランプ４５−３の点灯がさらに７秒間継続するか、或いはその前に手挿入部３７から手を引き抜くと、乾燥殺菌装置３０の運転が停止する（ステップ１１，１２）。そして乾燥殺菌装置３０の運転停止からさらに１秒間が経過すると（ステップ１３）、制御手段５０から自動ドア制御手段８０に自動ドア開許可信号が送信され、これによって自動ドア７０の開閉が２秒間自由に行えるようになる（ステップ１４，１５）。従ってこの間にドア開指示器８１によって自動ドア制御手段８０にこれを開とする信号が入力されると、自動ドア７０は開く。そして前記２秒間が経過すると、制御手段５０から自動ドア制御手段８０へ送信されていた自動ドア開許可信号がオフされ（ステップ１６）、再び自動ドア７０は例えドア開指示器８１によって自動ドア制御手段８０にこれを開とする信号が入力されても、開くことができなくなる。つまり制御手段５０は、自動ドア７０の開を許可している時間を限定することにより、手を完全に殺菌していない恐れのある人（乾燥殺菌装置３０による殺菌を行っていない人や、一旦殺菌を完了した後にその室内に留まって再び手が汚染された可能性がある人等）の退室を確実に防止している。
【００２５】
なおこの実施形態において、複数個の点灯ランプ４５−１〜３を時間の経過と共に順次点灯して、紫外線の照射が開始してから所定時間が経過する毎に所定時間が経過したことを表示していくように構成したのは、所定時間（１４秒）が経過するまでの時間の目安を手を挿入している人に知らせるためである。
【００２６】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載がない何れの形状や構造であっても、本願発明の作用・効果を奏する以上、本願発明の技術的思想の範囲内である。例えば上記実施形態では、手洗手段１０として非接触で手を洗浄できる自動手洗手段１０を用いたが、手を触れることで洗浄水などを吐出させる手洗手段を用いても良い。また乾燥殺菌手段３０の構成も種々の変形が可能であることは言うまでもない。
【図面の簡単な説明】
【００２７】
【図１】本発明にかかる自動ドア連動型乾燥殺菌装置１の全体概略構成図である。
【図２】乾燥殺菌装置３０の概略側面図である。
【図３】制御手段５０及び自動ドア制御手段８０の概略制御ブロック図である。
【図４】自動ドア連動型乾燥殺菌装置１の動作フロー図である。
【符号の説明】
【００２８】
１  自動ドア連動型乾燥殺菌装置
１０  手洗手段（自動手洗器）
３０  乾燥殺菌手段（乾燥殺菌装置）
３７  手挿入部
３８  乾燥機構
４１  紫外線殺菌手段（殺菌灯）
４３  検出部
４５  殺菌時間表示部
４５−１〜３  点灯ランプ
５０  制御手段
７０  自動ドア
８０  自動ドア制御手段
【図１】
2006198318.tif 000003
【図２】
2006198318.tif 000004
【図３】
2006198318.tif 000005
【図４】
2006198318.tif 000006